(57)【要約】【課題】所要の情報が表示されている１又は複数の表示シートを相互に独立して簡単に挿脱することができる情報表示板を提供する。【解決手段】情報表示板１は、背面板１０及び背面板１０の周縁部に設けられた枠体２２を有する収容枠２０と、収容枠２０の枠体２２の内側に収容されて所要の情報の一部３６が表示される第１のシート３２及び第１のシート３２の前面に配置されて所要の情報の残部３８が表示される透光性を有する第２のシート３４を備えた表示シート３０と、表示シート３０の前面において収容枠２０の枠体２２の内側に枠体２２との間に所定の隙間を確保して装着される透明板４０と、透明板４０と枠体２２との間の所定の隙間に装着されて表示シート３０を位置決めする取り外し自在の固定板５０とを有し、表示シート３０は固定板５０を取り外すことによって透明板４０と枠体２２との間の空間を介して透明板４０と背面板１０との間から挿脱可能となる。【選択図】図１
2010191005.tif 000002
【特許請求の範囲】
【請求項１】
背面板及びこの背面板の周縁部に設けられた枠体を有する収容枠と、
この収容枠の枠体の内側に収容されて所要の情報の一部が表示される第１のシート及び前記第１のシートの前面に配置されて所要の情報の残部が表示される透光性を有する１又は複数の第２のシートを備えた表示シートと、
前記表示シートの前面において前記収容枠の枠体の内側に前記枠体との間に所定の隙間を確保して装着される１又は複数の透明板と、
前記透明板と前記枠体との間の所定の隙間に装着されて前記表示シートを位置決めする取り外し自在の固定板とを有し、
前記表示シートは前記固定板を取り外すことによって形成された前記透明板と枠体との間の空間を介して前記透明板と前記背面板との間から挿脱可能となることを特徴とする情報表示板。
【請求項２】
前記固定板は、固定板本体と、この固定板本体の裏面に装着されたシート状マグネットとを備え、
前記シート状マグネットは、前記固定板本体の裏面の少なくとも一方の端部には設けられていないことを特徴とする請求項１記載の情報表示板。
【請求項３】
前記シート状マグネットは、その側面が前記表示シートの移動を規制する規制面となることを特徴とする請求項２記載の情報表示板。
【発明の詳細な説明】
【技術分野】
【０００１】
本発明は、案内表示板等、表示情報の一部の変更を行うことができる情報表示板に関する。
【背景技術】
【０００２】
従来から、例えば百貨店等の商業施設に入居する店舗のフロアにおける位置を表示するために案内表示板が使用されている。このような案内表示板は、店舗の入れ替えに伴って表示内容を頻繁に変更する必要がある。従来の一般的な案内表示板は、表示内容に変更が生じるごとに表示板全体を書き換えるか、表示板に店舗名が記載されたシールを貼って表示変更するという作業を行っていた。このため、前者の場合には、ランニングコストがかかりすぎ、後者の場合には、美観が損なわれるという問題があった。そこで、表示内容に変更がある場合において、表示内容の一部のみを変更することができる表示板が提案されている（特許文献１）。
【先行技術文献】
【特許文献】
【０００３】
【特許文献１】特開２００２−１５６９０９
【発明の概要】
【発明が解決しようとする課題】
【０００４】
しかしながら、上述した従来の表示板では、内容が表示されたシートを交換する場合に、表示シートの前面に設けられている透明なカバーを同時に取外して交換するか、若しくは表示シートを収容している収容枠に開口部を設けて差替えをする必要がある。このような従来の表示板において、透明なカバーを取外す場合には、凹部と凸部で嵌合している嵌合部をある程度の力で解除する必要があり交換作業に手間がかかる上に、透明カバー及び収容枠に与える損傷も大きいものとなる。また、収容枠に開口部を設ける場合においても、それぞれの表示シートを取り出す際に、まず前面に設けられた透明カバーを開口部から取り出し、その次にそれぞれの表示シートを取り出して交換を行わなければならず、交換作業に手間がかかるものであった。
【０００５】
本発明は、所要の情報が表示されている１又は複数の表示シートを相互に独立して簡単に挿脱することができる情報表示板を提供することを目的とする。
【課題を解決するための手段】
【０００６】
本発明に係る情報表示板は、背面板及びこの背面板の周縁部に設けられた枠体を有する収容枠と、この収容枠の枠体の内側に収容されて所要の情報の一部が表示される第１のシート及び前記第１のシートの前面に配置されて所要の情報の残部が表示される透光性を有する１又は複数の第２のシートを備えた表示シートと、前記表示シートの前面において前記収容枠の枠体の内側に前記枠体との間に所定の隙間を確保して装着される１又は複数の透明板と、前記透明板と前記枠体との間の所定の隙間に装着されて前記表示シートを位置決めする取り外し自在の固定板とを有し、前記表示シートは前記固定板を取り外すことによって形成された前記透明板と枠体との間の空間を介して前記透明板と前記背面板との間から挿脱可能となることを特徴とする。
【０００７】
本発明によれば、固定板を情報表示板から取り外すだけで表示シートを相互に独立して挿脱することが可能となり、表示シートの交換作業において透明板をその都度取外す必要がなくなるとともに、透明板や収容枠等に損傷を与えることなく表示シートの交換作業を簡単に行うことができる。また、通常時においては、前記透明板と前記枠体との間の所定の隙間に固定板が装着されているため、隙間に埃等が入り込むのを防ぐことができる。
【０００８】
本発明に係る情報表示板において、前記固定板は、固定板本体と、この固定板本体の裏面に装着されたシート状マグネットとを備え、前記シート状マグネットは、前記固定板本体の裏面の少なくとも一方の端部には設けられていないものであってもよく、これにより、固定板のシート式マグネットが設けられていない端部の表面を押すとシート状マグネットを中心として固定板が揺動し、固定板の他端部が突出するため、固定板の取り外しが容易になる。
【０００９】
また、この情報表示板において、前記シート状マグネットは、その側面が前記表示シートの移動を規制する規制面となることを特徴とするものであってもよく、これにより、前記表示シートのズレを防止することができ、分割された複数の表示シートを組合せて全体で一つの情報を表示することが可能となる。
【発明の効果】
【００１０】
本発明によれば、所要の情報が表示されている１又は複数の表示シートを相互に独立して簡単に挿脱することができる情報表示板を提供することができる。
【図面の簡単な説明】
【００１１】
【図１】本発明の第１の実施形態に係る情報表示板の正面図
【図２】第１の実施形態に係る情報表示板の部分拡大図
【図３】図２のＡ−Ａ´線に沿った断面図
【図４】第１の実施形態に係る情報表示板で使用される第１の表示シートと第２の表示シートとを示す部分正面図
【図５】第１の実施形態に係る情報表示板で使用される固定板の一例を示す背面図及び側面図
【図６】第１の実施形態に係る情報表示板の固定板の他の例を示す背面図
【図７】図２のＢ−Ｂ´線に沿った断面図
【図８】第１の実施形態に係る情報表示板の表示シートを挿脱している状態を示す断面図
【図９】本発明の第２の実施形態に係る情報表示板の部分正面図
【図１０】第２の実施形態に係る情報表示板の縦断面図
【発明を実施するための形態】
【００１２】
次に、本発明の第１の実施形態に係る情報表示板について、図面を用いて説明する。
図１〜図３は、第１の実施形態に係る情報表示板を示す図である。本実施形態に係る情報表示板１は、額縁状の収容枠２０に透明板４０を装着し、この透明板４０と収容枠２０の背面板１０との間の隙間に表示シート３０を収容したものである。表示シート３０は、その左右両端で固定板５０によって固定され、収容空間内での移動が規制されている。なお、この実施形態では、収容枠２０の内部がガイドレール６０によって任意の大きさで上下に複数に分割され、各分割された収容空間内にそれぞれ表示シート３０が収容され、透明板４０が装着されるようになっている。固定板５０は、各分割された収容空間の大きさに適合した大きさ、又は複数の収容空間に亘る適当な大きさに形成されている。
【００１３】
収容枠２０は、図１〜図３に示すように、背面板１０と、この背面板１０の周縁部に設けられた枠体２２と、背面板１０の前面において上下に所定の間隔を空けて配置された左右方向に延びるガイドレール６０と、各ガイドレール６０間の背面板１０の前面に配置された中板１２とから構成されている。
【００１４】
図３に示すように、透明板４０は、例えばアクリル板等により形成され、その上下端部にはガイドレール６０と係合する案内溝４２が形成されている。ガイドレール６０は、例えば縦断面がＨ字形状に形成されており、前面側の縁部６２が透明板４０の案内溝４２と係合することで透明板４０をスライド自在に保持する。その際、透明板４０と中板１２との間には、表示シート３０が挿脱可能な空間が形成されるようになっている。また、ガイドレール６０は、その両端が、収容枠２０の枠体２２の左右の内側からそれぞれ固定板５０の横幅分だけ内側に位置するような長さに設定されている。透明板４０は、図１に示すように、左右に分割され、左右の透明板４０を合わせた幅がガイドレール６０の長さとほぼ同じに設定されている。
【００１５】
表示シート３０は、図４（ａ）に示すように、所要の情報の一部３６、例えば店舗や施設等の見取り図等が表示される第１のシート３２と、この第１のシート３２の前面に配置されて所要の情報の残部３８、例えば上記見取り図に対応する位置に配置された店舗名、施設名等が表示される透光性を有する第２のシート３４とから構成されている。また、表示シート３０を、ガイドレール６０で分割された空間内に収容するため、１つのまとまった情報を複数に分割して形成するようにしている。これにより、表示シート３０の修正が必要になった場合、必要最小限度の修正で足りるという利点がある。表示シート３０は、ガイドレール６０の長さとほぼ同じ横幅に設定されている。なお、図に示す例では、第２のシート３４を一枚としているが、第２のシート３４は一枚に限らず複数枚とすることも可能である。また、第１のシート３２は、遮光性を有するものでも透光性を有するものであっても良い。第１のシート３２が透光性を有するものである場合においては、中板１２に所要な情報の一部が表示され、第１のシート３２及び第２のシート３４（この場合、いずれか一方のシートのみを使用しても良い。）に所要な情報の残部が表示されるようにしてもよい。
【００１６】
固定板５０は、所定の厚さを有し透明板４０と枠体２２との間の所定の隙間に嵌まり込む横幅を有する方形の平板状に形成されており、図５に示すように、固定板本体５２と、この固定板本体５２の裏面に設けられたシート状マグネット５４から構成されている。このシート状マグネット５４は、例えば図５（ｂ）に示すように、固定板本体５２の裏面の幅方向の中央部に設けられた長手方向に延びる帯状部５４ｃと、その上下端で幅方向の一方側に突出する凸部５４ａ，５４ｂからなるコの字型のもので、上下端の凸部５４ａ，５４ｂが設けられない側には、固定板本体５２の裏面にシート状マグネット５４が設けられていない空間が生じるように形成される。凸部５４ａ，５４ｂの先端側の側面は、表示シート３０の横方向への移動を規制する規制面となる。なお、例えば図６で示すように、固定板本体５２の裏面に設けられている凸部５４ａ，５４ｂと帯状部５４ｃとが相互に独立して形成されていてもよい。また、図示しないが、シート状マグネット５４の形状は単に帯状であってもよい。これら図５及び図６で示すシート状マグネット５４を採用する場合には、シート状マグネット５４を単に帯状にした場合に比べてマグネットの接着面積を少なくすることができ、固定板５０を取りやすくすることができる。
【００１７】
次に、表示シート３０の挿脱方法について、図７及び図８を用いて説明する。
【００１８】
本実施例に係る情報表示板１に収容される表示シート３０を交換する際には、まず、交換する表示シート３０の移動を規制している固定板５０を情報表示板１から取外す。すなわち、図７に示すように、固定板５０のシート状マグネット５４が設けられていない端部の表面を前面から押すことにより、シート状マグネット５４を中心として固定板５０が揺動し、固定板５０の他端部が前面側に突出するため、容易に固定板５０を取外すことができる。なお、固定板５０の前面に突出する側の裏面には、部分的にしかマグネットが形成されていないので、固定板５０の取り外しに際して、マグネットの接着力が強すぎて外し難いということが無い。また、表示シート３０及び固定板５０は所要の大きさに分割されており、交換が必要な表示シート３０を規制している固定板５０のみを取外せばよいため、交換作業が軽減される。
【００１９】
次に、固定板５０が取外されたことにより生じた空間に、図８で示すように、透明板４０を一方の枠体２２側へスライドさせて表示シート３０の前面を前方へ露出させる。このように、透明板４０をスライドさせて表示シート３０の端を露出させることにより、第１のシート３２と第２のシート３４の両方若しくは一方を、透明板４０と中板１２の間のスペースから取り出すことができる。そして、取り出した第１又は第２のシート３２，３４を新しいシートと交換することにより、表示シート３０の表示する情報を更新することができる。
【００２０】
最後に、上記手順とは逆の手順で固定板５０を情報表示板１に装着する。具体的には、一方の枠体２２側へスライドされている透明板４０を透明板４０と枠体２２との隙間に固定板５０が入り込むことができる位置までスライドさせ、このようにして設けられた隙間に固定板５０を装着することにより行う。
【００２１】
以上より、本実施例に係る情報表示板１においては、固定板５０を設けて表示シート３０の移動を規制していることから、表示シート３０を複数に分割した場合であっても全体として１つの情報をズレなく表示することができる。また、これにより表示シート３０のうち必要な部分のみを交換することが可能となる。例えば、第２のシート３４で表示する情報が、頻繁に更新される情報で、しかも簡易なプリンタで印刷可能な情報である場合、表示情報の更新に必要なランニングコストを十分抑制することができる。さらに透明板４０をスライド可能としたことから、表示シート３０の露出部分を広くさせることができるため、交換作業を簡単に行うことができる。
【００２２】
図９及び１０は本発明の第２の実施形態に係る情報表示板を示している。
本実施形態に係る情報表示板２は、先の実施形態で使用していたガイドレール６０を使用せず、収容枠２０の上下方向の長さと同じ長さの一枚の透明板８０を収容枠２０に固定して、前面からの見栄えを向上させたものである。
【００２３】
背面板１０には、上下方向に複数に分割された表示シート３０の収容空間を形成するため、左右に延びる帯状の複数の仕切り７０が上下方向に所定の間隔を介して突設されている。透明板８０の裏面には、これらの仕切り７０と嵌合する複数本の溝８４が形成されており、これらの溝８４と仕切り７０とが嵌合し、両者が接着されることで収容枠２０に固定されている。この透明板８０の横幅は、収容枠２０に装着された際に、透明板８０と収容枠２０の枠体２２との間に固定板５０を嵌め込むことができる隙間を生じさせることができる幅で形成されている。
【００２４】
また、表示シート３０は、第１の実施形態と同様に、所要の大きさに分割されて形成されている。但し、本実施形態に係る情報表示板２においては、第１の実施形態と異なり、表示シート３０の横幅は透明板４０の横幅よりも広く形成されている。固定板５０は、表示シート３０の透明板４０に覆われていない端部を覆うように装着される。
【００２５】
本実施例に係る情報表示板２においては、固定板５０を第１の実施形態と同様にして取外し、第１のシート３２と第２のシート３４のうち、例えば第２のシート３４のみを交換する場合には、表示シート３０の透明板８０に覆われていない端部を利用して第２のシート３４のみを情報表示板２から取り出し、更新された新たな第２のシート３４を第１のシート３２の前面に収容し、表示シート３０全体を、例えば左右のいずれか一方の枠体２２に当たるまでスライドさせ、露出している表示シート３０の反対側の端部を固定板５０で覆うようにして情報表示板２に装着することによって、表示シート３０の入れ替えを行う。この場合において、第１の実施形態のように、表示シート３０の挿脱の際に透明板８０をスライドさせて表示シート３０の露出部分を広くすることができないものの、固定板５０を取外したことにより生じた空間においても、十分に第１のシート３２及び／又は第２のシート３４の入れ替えのための露出部分を確保することが可能である。
【００２６】
以上のように、本実施形態に係る情報表示板２においては、透明板８０を一枚で形成し、ガイドレール６０よりも厚さが薄くて目立たない仕切り７０で透明板８０を装着させているため、情報表示板２に表示された情報の区切り部分が目立たなくなり、より見やすい情報表示板とすることができる。
【符号の説明】
【００２７】
１、２  情報表示板
１０  背面板
２０  収容枠
２２  枠体
３０  表示シート
３２  第１のシート
３４  第２のシート
４０，８０  透明板
５０  固定板
６０  ガイドレール
７０  仕切り
【図１】
2010191005.tif 000003
【図２】
2010191005.tif 000004
【図３】
2010191005.tif 000005
【図４】
2010191005.tif 000006
【図５】
2010191005.tif 000007
【図６】
2010191005.tif 000008
【図７】
2010191005.tif 000009
【図８】
2010191005.tif 000010
【図９】
2010191005.tif 000011
【図１０】
2010191005.tif 000012